(57)【要約】【課題】  データ監視システムにおいて、公開するデータの一部をＷｅｂブラウザによっては表示できない形式を用いてＷｅｂデータの作成を行い、ブラウザ端末ではＷｅｂブラウザを用いない別の表示手段によってデータ表示を可能とする。【解決手段】  データ処理装置１０とＷｅｂサーバ２０とブラウザ端末３０とからなるデータ監視システム１であって、データ処理装置１０は、任意のデータをＷｅｂサーバ２０に送信し、Ｗｅｂサーバ２０は、データ処理装置１０から受信したデータの一部をＷｅｂブラウザによって表示される形式を用いてＷｅｂデータを作成するとともに、他の一部又は全部をＷｅｂブラウザによっては表示されない形式を用いてＷｅｂデータを作成し、作成したＷｅｂデータをブラウザ端末３０に送信し、ブラウザ端末３０は、Ｗｅｂサーバ２０から受信したＷｅｂデータをＷｅｂブラウザによって表示し、またテキスト表示する。【選択図】      図１
2007148847.tif 000002
【特許請求の範囲】
【請求項１】
各種データを取得し当該データに基づいて各種処理を行うデータ処理装置と、前記データ処理装置から送信されるデータをＷｅｂデータに変換しブラウザ端末に送信するＷｅｂサーバと、前記Ｗｅｂデータを受信しＷｅｂブラウザを介して閲覧可能に表示するブラウザ端末とを備え、前記データ処理装置で処理される各種データを、前記ブラウザ端末で閲覧・監視するデータ監視システムであって、
前記データ処理装置は、
所定の監視データを含む任意のデータを取得するデータ取得手段と、
取得されたデータの全部又は一部を前記Ｗｅｂサーバに送信するデータ送信手段と、を備え、
前記Ｗｅｂサーバは、
前記データ処理装置から送信されたデータを受信するデータ受信手段と、
受信されたデータを、当該データの一部がＷｅｂブラウザに表示され、かつ、当該データの一部がＷｅｂブラウザに表示されない形式で、Ｗｅｂデータに変換するＷｅｂデータ作成手段と、
前記Ｗｅｂデータ作成手段で変換されたＷｅｂデータを前記ブラウザ端末に送信するＷｅｂデータ送信手段と、を備え、
前記ブラウザ端末は、
前記Ｗｅｂサーバから送信されたＷｅｂデータを受信するＷｅｂデータ受信手段と、
受信されたＷｅｂデータをＷｅｂブラウザによりＷｅｂ表示するＷｅｂページ表示手段と、
受信されたＷｅｂデータをテキスト表示するテキスト表示手段と、を備え、
前記Ｗｅｂサーバで前記Ｗｅｂブラウザに表示されない形式でＷｅｂデータに変換されたデータが、前記ブラウザ端末でテキスト表示されることを特徴とするデータ監視システム。
【請求項２】
前記データ処理装置のデータ取得手段が、所定の計測データ及び異常データを前記所定の監視データとして取得し、
前記ＷｅｂサーバのＷｅｂデータ作成手段が、
前記データ処理装置から受信されたデータを、少なくとも前記異常データがＷｅｂブラウザに表示されない形式で、Ｗｅｂデータに変換する
ことを特徴とする請求項１に記載のデータ監視システム。
【請求項３】
前記Ｗｅｂサーバは、
前記データ受信手段で受信されたデータの一部を暗号化する暗号化手段を備えるとともに、
前記Ｗｅｂデータ作成手段が、前記暗号化手段で暗号化されたデータを、Ｗｅｂブラウザに表示されない形式で、Ｗｅｂデータに変換し、
前記ブラウザ端末は、
前記Ｗｅｂサーバから受信したＷｅｂデータに含まれる暗号化データを復号化する復号化手段を備え、
前記テキスト表示手段が、前記復号化手段で復号化されたＷｅｂデータをテキスト表示する
ことを特徴とする請求項１又は２に記載のデータ監視システム。
【請求項４】
前記Ｗｅｂデータ作成手段は、
少なくともＨＴＭＬ，ＸＭＬ，ＸＨＴＭＬを含むマークアップ言語を用いてＷｅｂデータを作成することを特徴とする請求項１，２又は３のいずれかに記載のデータ監視システム。
【請求項５】
前記Ｗｅｂデータ作成手段は、
受信されたデータをＷｅｂデータに変換するときに、当該データの一部を、Ｗｅｂブラウザにおいて表示形式を指定するタグを用いてＷｅｂデータを作成するとともに、当該データの他の一部を、前記Ｗｅｂブラウザにおいて非表示を指定するタグを用いてＷｅｂデータを作成する
ことを特徴とする請求項１乃至４のいずれかに記載のデータ監視システム。
【請求項６】
各種データを取得し当該データに基づいて各種処理を行うデータ処理装置から送信されるデータをＷｅｂデータに変換しブラウザ端末に送信し、当該ブラウザ端末においてＷｅｂデータを閲覧可能に表示させるデータ監視用Ｗｅｂサーバであって、
前記データ処理装置から送信される所定の監視データを含むデータを受信するデータ受信手段と、
受信されたデータを、当該データの一部がＷｅｂブラウザに表示され、かつ、当該データの一部がＷｅｂブラウザに表示されない形式で、Ｗｅｂデータに変換するＷｅｂデータ作成手段と、
前記Ｗｅｂデータ作成手段で変換されたＷｅｂデータを前記ブラウザ端末に送信するＷｅｂデータ送信手段と、を備え、
前記Ｗｅｂデータ作成手段で前記Ｗｅｂブラウザに表示されない形式でＷｅｂデータに変換されたデータが、前記ブラウザ端末でテキスト表示されることを特徴とするデータ監視用Ｗｅｂサーバ。
【請求項７】
各種データを取得し当該データに基づいて各種処理を行うデータ処理装置と、前記データ処理装置から送信されるデータをＷｅｂデータに変換しブラウザ端末に送信するＷｅｂサーバと、前記Ｗｅｂデータを受信しＷｅｂブラウザを介して閲覧可能に表示するブラウザ端末とにより、前記データ処理装置で処理される各種データを、前記ブラウザ端末で閲覧・監視するデータ監視方法であって、
前記データ処理装置により、
所定の監視データを含む任意のデータを取得するステップと、
取得されたデータの全部又は一部を前記Ｗｅｂサーバに送信するステップと、
前記Ｗｅｂサーバにより、
前記データ処理装置から送信されたデータを受信するステップと、
受信されたデータを、当該データの一部がＷｅｂブラウザに表示され、かつ、当該データの一部がＷｅｂブラウザに表示されない形式で、Ｗｅｂデータに変換するステップと、
前記Ｗｅｂデータ作成手段で変換されたＷｅｂデータを前記ブラウザ端末に送信するステップと、
前記ブラウザ端末により、
前記Ｗｅｂサーバから送信されたＷｅｂデータを受信するステップと、
受信されたＷｅｂデータをＷｅｂブラウザによりＷｅｂ表示するステップと、
受信されたＷｅｂデータをテキスト表示するステップと、を有し、
前記Ｗｅｂサーバで前記Ｗｅｂブラウザに表示されない形式でＷｅｂデータに変換されたデータを、前記ブラウザ端末でテキスト表示することを特徴とするデータ監視方法。
【請求項８】
各種データを取得し当該データに基づいて各種処理を行うデータ処理装置と、前記データ処理装置から送信されるデータをＷｅｂデータに変換しブラウザ端末に送信するＷｅｂサーバと、前記Ｗｅｂデータを受信しＷｅｂブラウザを介して閲覧可能に表示するブラウザ端末とを、前記データ処理装置で処理される各種データを、前記ブラウザ端末で閲覧・監視するデータ監視システムとして機能させるためのプログラムであって、
前記データ処理装置を構成するコンピュータを、
所定の監視データを含む任意のデータを取得するデータ取得手段、取得されたデータの全部又は一部を前記Ｗｅｂサーバに送信するデータ送信手段、として機能させるとともに、
前記Ｗｅｂサーバを構成するコンピュータを、
前記データ処理装置から送信されたデータを受信するデータ受信手段、受信されたデータを、当該データの一部がＷｅｂブラウザに表示され、かつ、当該データの一部がＷｅｂブラウザに表示されない形式で、Ｗｅｂデータに変換するＷｅｂデータ作成手段、前記Ｗｅｂデータ作成手段で変換されたＷｅｂデータを前記ブラウザ端末に送信するＷｅｂデータ送信手段、として機能させ、
前記ブラウザ端末を構成するコンピュータを、
前記Ｗｅｂサーバから送信されたＷｅｂデータを受信するＷｅｂデータ受信手段、受信されたＷｅｂデータをＷｅｂブラウザによりＷｅｂ表示するＷｅｂページ表示手段、受信されたＷｅｂデータをテキスト表示するテキスト表示手段、として機能させるためのデータ監視プログラム。
【発明の詳細な説明】
【技術分野】
【０００１】
本発明は、所定の監視対象の状態・変化等を監視するデータ処理装置におけるデータ結果を、遠隔にある端末側で閲覧・監視するデータ監視システムに関し、より詳しくは、監視装置等で取得されるデータ結果をＷｅｂデータとしてインターネットを介して端末側で表示・閲覧可能とするとともに、監視対象の異常情報のような一般には無関係な情報や非公開とすべき情報等については、Ｗｅｂ表示することなく端末側に表示して監視させることができるデータ監視システムとデータ監視用Ｗｅｂサーバ、データ監視方法及びデータ監視プログラムに関する。
【背景技術】
【０００２】
従来、例えばダムや河川等の状態・変化等を監視し、監視結果を示すデータを遠隔にある監視者に送信する遠隔監視システムが知られている。
この種の監視システムとして、最近では、監視システムが取得した監視対象に関する様々なデータを、ＨＴＭＬ（Hyper Text Markup Language）文書等のＷｅｂデータに変換し、これを所定のＷｅｂ閲覧用ソフトウェア（Ｗｅｂブラウザ）がインストールされた端末（ブラウザ端末）によって表示することで、遠隔にある監視対象を端末側で容易に監視・閲覧できるようにした監視システムが実現されている。
【０００３】
具体的には、従来提案されているインターネットを介した遠隔監視システムは、計測機器等によって取得し蓄積された計測データ等をＷｅｂサーバによって公開し、その公開データを保守従事者等がブラウザ端末によって監視する構成となっている。このような監視システムの実現により、インターネット等の一定の通信環境条件が満たされていれば、利用者は、時間や場所を問わず、必要な情報を容易に取得することが可能となった。
この種の監視システムとしては、例えば、設備システムが抽出した機器の故障内容等のデータをＨＴＭＬ等のＷｅｂデータに変換し、インターネットを介して監視装置側で閲覧可能なビル管理装置等が提案されている（例えば、特許文献１参照）。
【０００４】
ところで、この種の監視システムでは、監視データがインターネットを介して送受信されるため、監視対象の故障内容等を示す重要データであっても、誰でも閲覧可能な状態となってしまうため、監視データのセキュリティを確保する必要が生じた。
すなわち、異常データや故障内容データを保守従事者以外の第三者が知り得るとすると、不要な情報の錯綜等によって本来の保守活動に支障がでるだけでなく、システムの信頼性を損ねることにもなりかねないからである。
【０００５】
そこで、上述した特許文献１に提案されているビル管理装置では、データを暗号化して送信することによって、所定のデータに関しては、特定の者のみがデータを閲覧できるようにし、権限のない者が閲覧できないようにしている。
なお、送受信データのセキュリティ確保としては、例えば、サーバ装置に集中的に収集・蓄積した患者の分析用データを、暗号化／復号化して端末装置との間で送受信するデータ集中収集管理システム（特許文献２）や、子どもや従業員等が使用する監視端末の利用状況を、暗号化／復号化してサーバ側に送信し収集・管理する通信履歴監視システム（特許文献３）等においても、特許文献１と同様、特定の者のみがデータを閲覧できるようにしたシステムが提案されている。
【０００６】
【特許文献１】特開２００５−０４４３６９号公報（第１−８頁、第７、１６図）
【特許文献２】特開２００３−１７３３７６号公報（第１−７頁、第２、８、９図）
【特許文献３】特開２００５−２５８８５５公報（第１−７頁、第１、５、８図）
【発明の開示】
【発明が解決しようとする課題】
【０００７】
しかしながら、以上のような従来提案されているにシステム等おいては、送受信される監視データのセキュリティ確保のために、暗号化／復号化を行うために、そのためのパスワードの入力作業や鍵管理等が必要となり、システム構成が複雑となるだけでなく、利用者や管理者にとってその処理や手続きが煩わしいという問題があった。
特に、例えばダムや河川の監視データは一定時間毎に送受信するものであり、その一方で、監視データの中には、一般に公開する必要はないものの、暗号化やパスワード化までのセキュリティは必要性のない情報も多数存在する。
このため、すべてのデータについて、送受信の都度暗号化／複合化処理を行うシステムでは、処理・手続きがきわめて煩瑣となる上に、不必要な暗号化等の処理が繰り返されることにもなり、現実には採用は困難なものとなっていた。
【０００８】
本発明は、以上のような従来の技術が有する問題を解決するために提案されたものであり、インターネットを介して送受信される監視データ等について、暗号化やパスワード化等の煩瑣で複雑な処理・手続きを必要とすることなく、一般には無関係な情報や公開すべきでない情報を、Ｗｅｂ表示させることなく端末側において表示・監視可能とするデータ監視システムとデータ監視用Ｗｅｂサーバ、データ監視方法及びデータ監視プログラムの提供を目的とする。
【課題を解決するための手段】
【０００９】
上記目的を達成するため、本発明のデータ監視システムは、請求項１に記載するように、各種データを取得し当該データに基づいて各種処理を行うデータ処理装置と、前記データ処理装置から送信されるデータをＷｅｂデータに変換しブラウザ端末に送信するＷｅｂサーバと、前記Ｗｅｂデータを受信しＷｅｂブラウザを介して閲覧可能に表示するブラウザ端末とを備え、前記データ処理装置で処理される各種データを、前記ブラウザ端末で閲覧・監視するデータ監視システムであって、前記データ処理装置は、所定の監視データを含む任意のデータを取得するデータ取得手段と、取得されたデータの全部又は一部を前記Ｗｅｂサーバに送信するデータ送信手段とを備え、前記Ｗｅｂサーバは、前記データ処理装置から送信されたデータを受信するデータ受信手段と、受信されたデータを、当該データの一部がＷｅｂブラウザに表示され、かつ、当該データの一部がＷｅｂブラウザに表示されない形式で、Ｗｅｂデータに変換するＷｅｂデータ作成手段と、前記Ｗｅｂデータ作成手段で変換されたＷｅｂデータを前記ブラウザ端末に送信するＷｅｂデータ送信手段とを備え、前記ブラウザ端末は、前記Ｗｅｂサーバから送信されたＷｅｂデータを受信するＷｅｂデータ受信手段と、受信されたＷｅｂデータをＷｅｂブラウザによりＷｅｂ表示するＷｅｂページ表示手段と、受信されたＷｅｂデータをテキスト表示するテキスト表示手段とを備え、前記Ｗｅｂサーバで前記Ｗｅｂブラウザに表示されない形式でＷｅｂデータに変換されたデータが、前記ブラウザ端末でテキスト表示される構成としてある。
【００１０】
このような構成からなる本発明のデータ監視システムによれば、監視装置等として機能するデータ処理装置で取得・送信されるデータは、ＷｅｂサーバにおいてＷｅｂデータに変換される。
このとき、Ｗｅｂデータに変換されるデータのうち、一部についてはＷｅｂブラウザによって表示可能な通常のＷｅｂデータに変換されるとともに、監視対象の異常や変化等を示す所定のデータについては、Ｗｅｂブラウザを用いることによっては表示されないデータに変換される。
そして、Ｗｅｂ表示不能なデータ部分は、ブラウザ端末側で所定の表示手段によって表示可能なデータとして変換・作成されるようになっている。
【００１１】
このため、少なくとも二種以上からなるデータを一体的にＷｅｂページ化し公開しつつも、各データの記述形式をかえ、また、その表示手段もかえることによって、各々のデータが個別に閲覧できるようになる。
これにより、例えば、公開したくないデータや、秘匿性を有するデータについては、通常の表示手段によっては表示されないが、別の表示手段を用いることによりそれを表示させることが可能となる。
【００１２】
したがって、指定した一部のデータについては前記別の表示手段を知る者だけが閲覧可能となるので、暗号化等、特別なセキュリティ機能を付加することなく閲覧者を制限できる。
このように、本発明によれば、暗号化やパスワード化等のセキュリティ機能を備えることなく、所定の情報について、一般には公開・表示されない形式でデータ送信でき、特別な手段を講ずることなく秘匿性を有するデータを容易に取り扱うことができるようになり、既存のデータ監視システムにもそのまま適用することができる。
【００１３】
また、本発明のデータ監視システムは、請求項２に記載するように、前記データ処理装置のデータ取得手段が、所定の計測データ及び異常データを前記所定の監視データとして取得し、前記ＷｅｂサーバのＷｅｂデータ作成手段が、前記データ処理装置から受信されたデータを、少なくとも前記異常データがＷｅｂブラウザに表示されない形式で、Ｗｅｂデータに変換する構成としてある。
【００１４】
このような構成からなる本発明のデータ監視システムによれば、監視システムが取り扱う様々な監視データとして、例えば、監視対象となるダムや河川における水位や気温，雨量，震度等の計測データと、その異常値を示す異常データを対象として、所定の表示手段によって閲覧可能な本発明のデータ形式に変換して送受信できるようにしてある。
特に、監視データに含まれる計測データと異常データとを抽出し、計測データについてはＷｅｂブラウザによって通常的に表示させるとともに、異常データについてはＷｅｂブラウザによらない別の表示手段を用いてテキスト表示させることができる。すなわち、計測データと異常データは、一体的に処理・送受信しつつも、異常データ部分については、本発明に係る表示手段を知る一部の者しか閲覧できないことになる。
【００１５】
これにより、一般利用者等、異常データを知る必要がない者に対しては閲覧不可としつつも、システム管理者や保守従事者等は、本発明に係る特定の表示手段を用いることによってその情報を容易に閲覧できるようなる。
したがって、暗号化等、特別なセキュリティ機能を付加することなく、異常データを含む計測データを監視のために送受信することができる一方で、異常データについては特定の者のみが閲覧可能にすることができる。
【００１６】
また、本発明のデータ監視システムは、請求項３に記載するように、前記Ｗｅｂサーバは、前記データ受信手段で受信されたデータの一部を暗号化する暗号化手段を備えるとともに、前記Ｗｅｂデータ作成手段が、前記暗号化手段で暗号化されたデータを、Ｗｅｂブラウザに表示されない形式で、Ｗｅｂデータに変換し、前記ブラウザ端末は、前記Ｗｅｂサーバから受信したＷｅｂデータに含まれる暗号化データを復号化する復号化手段を備え、前記テキスト表示手段が、前記復号化手段で復号化されたＷｅｂデータをテキスト表示する構成としてある。
【００１７】
このような構成からなる本発明のデータ監視システムによれば、取得したデータの一部を暗号化し、さらに暗号化したデータを通常の表示手段によっては表示されないようにしてある。
このため、秘匿レベルが非常に高いデータも他のデータと一体的にＷｅｂデータ化し公開することも可能となる。
例えば、取得したデータのうち、一部のデータについては特定の者に限定してその内容を確認できるようにしたい場合には、そのデータ部分のみを暗号化して公開し、受信側で復号化することによりその目的は達成される。
これにより、本発明に係る特別な表示手段によらなければ表示できないこととの組み合わせにより、機密性をより高めることができるようになる。
【００１８】
また、本発明のデータ監視システムは、請求項４に記載するように、前記Ｗｅｂデータ作成手段は、少なくともＨＴＭＬ（Hyper Text Markup Language）、ＸＭＬ（eXtensible Markup Language）、ＸＨＴＭＬ（eXtensible Hyper Text Markup Language）を含むマークアップ言語を用いてＷｅｂデータを作成する構成としてある。
【００１９】
このような構成からなる本発明のデータ監視システムによれば、所定の記述形式を用いて表示／非表示を設定し、所定のＷｅｂブラウザでその設定に応じたデータ表示／非表示を可能とするマークアップ言語によって本発明を実現化することができる。
したがって、既存のマークアップ言語を使用して本発明のデータ監視システムを実施することができ、汎用性，拡張性の高いシステムを構築することが可能となる。
【００２０】
また、本発明のデータ監視システムは、請求項５に記載するように、前記Ｗｅｂデータ作成手段は、受信されたデータをＷｅｂデータに変換するときに、当該データの一部を、Ｗｅｂブラウザにおいて表示形式を指定するタグを用いてＷｅｂデータを作成するとともに、当該データの他の一部を、前記Ｗｅｂブラウザにおいて非表示を指定するタグを用いてＷｅｂデータを作成する構成としてある。
【００２１】
このような構成からなる本発明のデータ監視システムによれば、任意のタグを用いてデータの表示／非表示を設定できるようにしている。
例えば、データとなる文字の非表示を設定するタグのみならず、表示する場合でも、文字の大小、背景色と文字色の関係等を各種タグによって表現することができる。
このため、記述するタグの属性に応じた表示／非表示方式を様々なバリエーションの中から選択できるので、利用者や管理者等にとって最適なシステムを実現化することができる。
【００２２】
また、本発明は、請求項６に記載するように、各種データを取得し当該データに基づいて各種処理を行うデータ処理装置から送信されるデータをＷｅｂデータに変換しブラウザ端末に送信し、当該ブラウザ端末においてＷｅｂデータを閲覧可能に表示させるデータ監視用Ｗｅｂサーバであって、前記データ処理装置から送信される所定の監視データを含むデータを受信するデータ受信手段と、受信されたデータを、当該データの一部がＷｅｂブラウザに表示され、かつ、当該データの一部がＷｅｂブラウザに表示されない形式で、Ｗｅｂデータに変換するＷｅｂデータ作成手段と、前記Ｗｅｂデータ作成手段で変換されたＷｅｂデータを前記ブラウザ端末に送信するＷｅｂデータ送信手段とを備え、前記Ｗｅｂデータ作成手段で前記Ｗｅｂブラウザに表示されない形式でＷｅｂデータに変換されたデータが、前記ブラウザ端末でテキスト表示される構成とすることができる。
【００２３】
また、本発明は、請求項７に記載するように、各種データを取得し当該データに基づいて各種処理を行うデータ処理装置と、前記データ処理装置から送信されるデータをＷｅｂデータに変換しブラウザ端末に送信するＷｅｂサーバと、前記Ｗｅｂデータを受信しＷｅｂブラウザを介して閲覧可能に表示するブラウザ端末とにより、前記データ処理装置で処理される各種データを、前記ブラウザ端末で閲覧・監視するデータ監視方法であって、前記データ処理装置により、所定の監視データを含む任意のデータを取得するステップと、取得されたデータの全部又は一部を前記Ｗｅｂサーバに送信するステップと、前記Ｗｅｂサーバにより、前記データ処理装置から送信されたデータを受信するステップと、受信されたデータを、当該データの一部がＷｅｂブラウザに表示され、かつ、当該データの一部がＷｅｂブラウザに表示されない形式で、Ｗｅｂデータに変換するステップと、前記Ｗｅｂデータ作成手段で変換されたＷｅｂデータを前記ブラウザ端末に送信するステップと、前記ブラウザ端末により、前記Ｗｅｂサーバから送信されたＷｅｂデータを受信するステップと、受信されたＷｅｂデータをＷｅｂブラウザによりＷｅｂ表示するステップと、受信されたＷｅｂデータをテキスト表示するステップとを有し、前記Ｗｅｂサーバで前記Ｗｅｂブラウザに表示されない形式でＷｅｂデータに変換されたデータを、前記ブラウザ端末でテキスト表示する方法とすることができる。
【００２４】
このように、本発明は上述した複数の装置を備えるシステムの発明としてだけでなく、Ｗｅｂサーバを構成する装置単体の発明や、方法の発明としても実現することができる。
これによって、複数装置で構成されるシステムに限定されることなく、本発明に係る構成要件を備える限り、装置単体や方法の発明として本発明を実施することができ、汎用性の高いデータ監視技術を提供することができる。
【００２５】
さらに、本発明は、請求項８に記載するように、各種データを取得し当該データに基づいて各種処理を行うデータ処理装置と、前記データ処理装置から送信されるデータをＷｅｂデータに変換しブラウザ端末に送信するＷｅｂサーバと、前記Ｗｅｂデータを受信しＷｅｂブラウザを介して閲覧可能に表示するブラウザ端末とを、前記データ処理装置で処理される各種データを、前記ブラウザ端末で閲覧・監視するデータ監視システムとして機能させるためのプログラムであって、前記データ処理装置を構成するコンピュータを、所定の監視データを含む任意のデータを取得するデータ取得手段、取得されたデータの全部又は一部を前記Ｗｅｂサーバに送信するデータ送信手段、として機能させるとともに、前記Ｗｅｂサーバを構成するコンピュータを、前記データ処理装置から送信されたデータを受信するデータ受信手段、受信されたデータを、当該データの一部がＷｅｂブラウザに表示され、かつ、当該データの一部がＷｅｂブラウザに表示されない形式で、Ｗｅｂデータに変換するＷｅｂデータ作成手段、前記Ｗｅｂデータ作成手段で変換されたＷｅｂデータを前記ブラウザ端末に送信するＷｅｂデータ送信手段、として機能させ、前記ブラウザ端末を構成するコンピュータを、前記Ｗｅｂサーバから送信されたＷｅｂデータを受信するＷｅｂデータ受信手段、受信されたＷｅｂデータをＷｅｂブラウザによりＷｅｂ表示するＷｅｂページ表示手段、受信されたＷｅｂデータをテキスト表示するテキスト表示手段、として機能させるためのプログラムとして構成することができる。
【００２６】
このように本発明はプログラムとしても実現化することができる。
これにより、監視装置や計測機器のみならず、サーバ、情報処理端末等、各種ハードウェアにプログラムをインストールすることによって本発明を実現することができ、汎用性，拡張性に優れたデータ監視技術として提供することができる。
【発明の効果】
【００２７】
本発明によれば、監視装置等で取得されるデータ結果をＷｅｂデータとしてインターネットを介して端末側で表示・閲覧可能とするとともに、監視対象の異常情報のような一般には無関係な情報や非公開とすべき情報等については、Ｗｅｂ表示することなく端末側に表示して監視させることができる
これにより、特別なセキュリティ機能等を付加することなく、一定の秘匿性を有する監視データを、容易に取り扱うことができるようになる。
【発明を実施するための最良の形態】
【００２８】
以下、本発明の好ましい実施形態について図１〜図５を参照して説明する。
ここで、以下に示す本実施形態のデータ監視システムは、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態のデータ監視システムにおける各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００２９】
図１は、本発明の一実施形態に係るデータ監視システムの主な構成を示すブロック図である。
同図に示すように、本実施形態のデータ監視システム１は、データ処理装置１０とＷｅｂサーバ２０及びブラウザ端末３０を備えている。
データ処理装置１０とＷｅｂサーバは、ＬＡＮ等の通信回線４０で接続され、また、Ｗｅｂサーバ２０とブラウザ端末３０は、インターネット等の通信回線５０を介して接続されている。
そして、本実施形態のデータ監視システム１では、データ処理装置１０で取得される各種データが、Ｗｅｂサーバ２０等を介してブラウザ端末３０に送信され、ブラウザ端末３０において閲覧・監視できるようになっている。
以下、本実施形態の主な構成要素について、各々詳細な説明を行う。
【００３０】
［データ処理装置１０］
データ処理装置１０は、所定の方法によって各種データを取得し、そのデータに基づき様々な処理や管理を行う装置，システムによって構成される。例えば、ダムや河川の水位データ等をモニタリングする監視システムや、雨量・湿度等の気象データを抽出する気象データ処理装置等がある。
図１に示すとおり、データ処理装置１０は、データ取得手段１１及びデータ送信手段１２を有する。
【００３１】
データ取得手段１１は、データ処理装置１０で取り扱う各種データを対象物又はデータベース等から取得するものである。例えば、データ処理装置１０が気象情報を取り扱う気象データ処理装置の場合には、気温、湿度、雨量、風速、風向などの気象データを所定の計測器を介して直接取得したり、これらのデータを格納した気象情報データベースから取得するものである。
データ送信手段１２は、データ取得手段１１により取得した各種データを通信回線４０を介してＷｅｂサーバ２０に送信するものである。
なお、通信回線４０は、ＬＡＮの他、ＷＡＮ、インターネット等、双方向に通信可能な回線であればよい。
【００３２】
［Ｗｅｂサーバ２０］
Ｗｅｂサーバ２０は、ブラウザ端末からの要求に応じ、データ処理装置１０から必要なデータを取得し、該データを所定のＷｅｂデータに加工し、ブラウザ端末３０に送る情報処理装置である。
具体的には、Ｗｅｂサーバ２０は、図１に示すように、データ受信手段２１，Ｗｅｂデータ作成手段２２，Ｗｅｂデータ送信手段２３及び暗号化手段２４を備えている。
【００３３】
データ受信手段２１は、データ処理装置１０から送られてくる各種データを、ＬＡＮ５０を介して受信するものである。
Ｗｅｂデータ作成手段２２は、データ受信手段２１によってデータ処理装置１０から受信したデータを、ＨＴＭＬ文書等のＷｅｂデータに加工・変換するものである。
通常、Ｗｅｂデータ中で指定された様々な表示形式にしたがい所定のＷｅｂブラウザ上でデータを表示できるようになるが、ここでは、受信したデータの一部（例えば、一般に知られたくないデータの部分）をＷｅｂブラウザによっては表示されない形式で加工・変換することにより、通常の手段（Ｗｅｂブラウザ）によっては表示できないようにしている。
【００３４】
具体的には、本実施形態では、図２に示すようなＨＴＭＬ文書を変換・作成するようになっている。
同図において、実線で囲まれた部分は、Ｗｅｂブラウザによって表示させるタグで文字，サイズ，位置等を定めており、例えば、ＨＴＭＬにおいては、<BODY></BODY>、<FONT></FONT>、<DIV></DIV>等のタグによってこれらを任意に指定できる。
一方、破線で囲まれた部分は、ブラウザでは表示されないタグを利用するものであり、例えば図２に示す<!--z.zz-->のように、「!--」〜「--」で囲まれるコメントとして記述することによって「z.zz」は非表示となる。
【００３５】
そして、このブラウザ非表示データ「z.zz」については、後述のテキスト表示手段によって原文表示されるので、ブラウザ非表示データが含まれることを知っており、テキスト表示手段によってデータが表示されることを知っている者のみ、このデータを閲覧・監視できることになり、実質的に閲覧者が限定・制限されることとなる。
なお、Ｗｅｂデータの作成にあたっては、ＨＴＭＬの他、ＸＭＬやＸＨＴＭＬ等の他のマークアップ言語を用いて作成することが可能である。
【００３６】
Ｗｅｂデータ送信手段２３は、Ｗｅｂデータ作成手段２２によって作成されたＷｅｂデータをブラウザ端末３０に送信するものである。
暗号化手段２４は、データ受信手段２１によってデータ処理装置１０から受信したデータの一部（例えば、一般に知られたくないデータの部分）を所定の方式によって暗号化するものである。これにより、閲覧者の限定が厳格になり、秘匿性の高いデータについても本実施形態のデータ監視システム１で取り扱うことが可能となる。
なお、ここでいう暗号化とは、公開鍵暗号方式、秘密鍵暗号方式等の他、記号化や略号化も含む概念であり、特定の者のみが復号できるように一定の規則やアルゴリズムに基づいて変換する手段であれば暗号化手段２４に該当する。
【００３７】
［ブラウザ端末３０］
ブラウザ端末３０は、必要なデータをＷｅｂサーバ２０を介して取得し、Ｗｅｂデータの記述形式に応じて表示する端末装置であり、ＰＣや携帯電話等の情報処理装置で構成される。
図１に示すとおり、ブラウザ端末３０は、Ｗｅｂデータ受信手段３１、Ｗｅｂページ表示手段３２、テキスト表示手段３３及び復号化手段３４を有する。
【００３８】
Ｗｅｂデータ受信手段３１は、データ処理装置１０が取得したデータをＷｅｂサーバ２０を介して取得するものである。取得したデータ（Ｗｅｂデータ）は、その記述形式に応じ、Ｗｅｂページ表示手段３２又はテキスト表示手段３３によりそれぞれ表示することができる。
Ｗｅｂページ表示手段３２は、Ｗｅｂデータ受信手段３１によって受信したＷｅｂデータを、所定のＷｅｂブラウザによってＷｅｂ表示させるものである。
ここで、Ｗｅｂブラウザとは、マークアップ言語で記述されたＷｅｂページを閲覧するためのアプリケーションソフトウェアのことであり、例えば、マイクロソフト社のインターネットエクスプローラ（登録商標）等があげられる。
【００３９】
テキスト表示手段３３は、Ｗｅｂデータ受信手段３１によって受信したＷｅｂデータを、原文のままテキスト表示（ソース表示）させるものである。なお、Ｗｅｂブラウザの機能により、ブラウザ上でソース表示できるものもある。
なお、Ｗｅｂデータ受信手段３１によって受信されたＷｅｂデータの中には、Ｗｅｂブラウザ（Ｗｅｂページ表示手段３２）によっては表示されないデータも含まれている場合があり、この場合には、Ｗｅｂデータの原文をテキスト表示させることによってその内容を確認することができるようになっている。
復号化手段３４は、Ｗｅｂサーバ２０で暗号化されたデータを暗号化前のデータに復号化するものである。前述の暗号化手段２４と同様、秘匿レベルの高いデータを安全かつ確実に取り扱うためのものである。
【００４０】
次に、以上のような構成からなるデータ監視システムの一例である河川遠隔監視システムについて図３乃至図５を参照しつつ説明する。
図３は、本発明の一実施形態に係るデータ監視システムの一例である河川遠隔監視システムの構成を示したブロック図である。
【００４１】
まず、図３で示す河川遠隔監視システム１ａを構成する河川監視システム１０ａについて説明を行う。
同図に示すとおり、河川監視システム１０ａは、中央管理所と監視地点（Ａ、Ｂの二地点）にわかれており、監視地点で計測した各種監視データを中央管理所に集中させ、中央監視を行うものである。
例えば、Ａ地点からは、河川の水位データ、水位計の正常／異常データ、ゲートの開閉データ、ゲートの正常／異常データが、Ｂ地点からは、雨量データ、ポンプの運転状態データ、正常／異常データ等が、抽出され、それぞれ子局伝送装置２０１ａ、２０２ｂによって送信される。
【００４２】
なお、前提として、ここで取り扱うデータのうち、異常データについては関係者のみ知りえるべきものであり、不特定の者が知るべきことではない。なぜなら、河川監視システムのように公共性が強く、人命に係る重要な監視システムの場合には、異常データを不特定又は多数の者が知ることによって、情報が錯綜しパニックに陥る場合があるからである。また、これに伴い異常箇所の復旧やその他の対策にも支障をきたすことがあるからである。
【００４３】
子局伝送装置２０１ａ、３０１ａから送信された各計測データは、親局伝送装置１０３ａによって受信され、中央監視サーバ（正）１０１ａに送られる。
中央監視サーバ（主）１０１ａは、定期又は不定期に計測データを抽出し、また該計測データをもとに正常／異常を判断し、異常が検出された場合には、係る異常データを抽出する。例えば、Ａ地点での川の水位が水位計２０２ａによって１．２ｍと計測された場合、この値が計測データとして扱われる。ただし、Ａ地点での水位異常となる上限値が１．１ｍである場合には、該上限値を超過しているため、異常データとして扱われることになる。
このようにして抽出された計測データと異常データは、監視端末１０４ａでリアルタイムに閲覧できるだけでなく、各データベース１０６ａ、１０７ａに格納され随時抽出できるようになっている。
【００４４】
なお、本実施形態においては、安全のために中央監視サーバ（従）１０２ａが接続された二重化構成例を示している。中央監視サーバ（正）１０１ａと中央監視サーバ（従）１０２ａは互いにパケットの送受信を行い、状態の交換を行っている。したがって、一方のサーバが故障した場合には、パケットの不達によってこれを検知する仕組みである。また、その他の装置についても同様の方法により故障を検知できる仕組みとなっている。
【００４５】
次に、Ｗｅｂサーバ２０の説明を行う。
Ｗｅｂサーバ２０は、ブラウザ端末３０からの要求に応じ、データベース１０６ａ、１０７ａから計測データ及び異常データを取得し、所定のマークアップ言語によりＷｅｂデータに変換する。前述の通り、異常データは一般に公開すべきではないので、Ｗｅｂデータ化する際には、まず、係るデータを暗号化し、次に、ブラウザ端末３０にインストールされているＷｅｂブラウザでは表示されない形式で記述するようにする。
そして、この様にして作成された計測データ及び異常データのＷｅｂデータは、要求元のブラウザ端末３０に送信される。
【００４６】
ブラウザ端末３０では、Ｗｅｂサーバ２から送られてきたデータを所定の手段によって表示させることができる。
ここで、計測データはＷｅｂブラウザによって通常的にＷｅｂページ表示されるが、異常データはＷｅｂブラウザによっては表示されない。
この異常データのＷｅｂデータについては、テキスト表示手段３３によって、まず、その原文をテキスト表示し、次に、復号化手段３４によってその内容を把握することができるようになる。
具体的には、図４に示すように、係るＷｅｂデータをテキスト表示すると、一部のデータだけ（この例では、異常データの部分）は、「4xGQboC7bZRwDe35a8V」と表示される。これは暗号化されたままのデータなので、通常はこれだけを見てもその意味を理解することはできず、所定の復号化手段３４を実施することによりその意味が理解できるようになる。例えば、「4xGQboC7bZRwDe35a8V」は、復号化により「水位異常  Ａ地点水位１．２ｍ  測定日時：２００５年＊＊月＊＊日＊＊時＊＊分＊＊秒」のように変換され、特定の者のみが異常を検知し、またその異常内容を知ることができるようになる。
【００４７】
次に、上記河川遠隔監視システムの動作について図５を参照しつつ説明する。
図５は、本発明の一実施形態に係るデータ監視システムの一例である河川遠隔監視システムの動作を示すフローチャートである。
まず、ブラウザ端末３０は、Ｗｅｂブラウザ上からＷｅｂサーバ２０に対し、監視に必要なデータ（計測データ、異常データ）を要求する（ステップＳ１）。
具体的には、Ｗｅｂサーバ２０のＷｅｂページが公開されているＷｅｂサイトにアクセスする。
【００４８】
Ｗｅｂサーバ２０は、この要求を受け（ステップＳ２）、河川監視システム１０ａに対して、計測データを要求する（ステップＳ３）。
河川監視システム１０ａは、Ｗｅｂサーバ２０から計測データの要求を受ける（ステップＳ４）と、データ取得手段１１が取得した計測データをＷｅｂサーバ２０に送信する（ステップＳ５）。具体的には、計測情報データベース１０６ａに格納されてある計測データ（例えば、雨量計３０２ａが測定したＢ地点における雨量データ「２ｍｍ」）が検索・抽出され、Ｗｅｂサーバ２０に送信される。
【００４９】
そして、計測データを取得したＷｅｂサーバ２０（ステップＳ６）は、次に、河川監視システム１０ａに対し異常データの要求を行う（ステップＳ７）。
河川監視システム１０ａは、Ｗｅｂサーバ２０から異常データの要求を受ける（ステップＳ８）と、データ取得手段１１が取得した異常データをＷｅｂサーバ２０に送信する（ステップＳ９）。具体的には、異常情報データベース１０７ａに格納されてある異常データ（例えば、水位計２０２ａが計測し、水位異常と判断されたＡ地点の水位データ「１．２ｍ」）が検出・抽出され、Ｗｅｂサーバ２０に送信される。
【００５０】
異常データを取得したＷｅｂサーバ２０（ステップＳ１０）は、ステップＳ６において既に取得した計測データとともに１つのＷｅｂデータに変換され要求元のブラウザ端末３０に送信される（ステップＳ１１）。
ここで、Ｗｅｂデータとは、例えば、ＨＴＭＬで記述され作成される閲覧用のデータのことをいい、通常、所定のＷｅｂブラウザによって様々な形で表現できるように定めたデータのことを意味する。すなわち、Ｗｅｂブラウザ上で表示されることを前提としている。
【００５１】
但し、一般には公開したくないデータ（本実施形態の場合には、異常データがこれに該当する）も存在するので、この部分についてはＷｅｂブラウザで表示されない形式によってＷｅｂデータを作成することとなる。
具体的には、コメント記述用のタグ等（図２又は図４参照）を使用してＨＴＭＬ文書等を作成する。
【００５２】
Ｗｅｂサーバ２０からＷｅｂデータを取得したブラウザ端末３０（ステップＳ１２）は、計測データのみをブラウザ上で表示し、異常データはブラウザ上では表示されない（ステップＳ１３）。ステップＳ１１で記述した形式に応ずるものである。そして、異常データについては、テキスト表示手段３３により、ＨＴＭＬ等の原文を表示することができる（ステップＳ１４）。
以上のステップを通して、本実施形態の河川遠隔システム１ａの一連の動作を説明したが、これにより、システムや装置が取り扱うデータのうち、一部のデータは公開しつつも、一部のデータは公開しないような仕組みを容易に構築でき、提供できるようになる。
【００５３】
以上説明したように、本実施形態のデータ監視システム１によれば、公開するデータの一部についてはＷｅｂブラウザによって表示できるが、他のデータの部分については前記Ｗｅｂブラウザを用いることによっては表示できないようにしている。また、前記他のデータ部分については、別の表示手段によって表示できるようにしている。
【００５４】
このため、前記他のデータ部分については前記別の表示手段を知る者だけが閲覧可能となるので、暗号化等、特別なセキュリティ機能を付加することなく閲覧者を制限できる。
したがって、従来のデータ監視システムにおいても、特別な手段を講ずることなく秘匿性を有するデータを容易に取り扱うことができるようになる。
【００５５】
また、本実施形態のデータ監視システム１によれば、公開するデータの一部を暗号化し、さらに暗号化したデータを通常の表示手段によっては表示されないようにしてある。
このため、秘匿レベルが非常に高いデータも他のデータと一体的にＷｅｂデータ化し公開することも可能となる。
したがって、より安全性の高いデータ監視システム１を提供することができるようになる。
【００５６】
また、本実施形態のデータ監視システム１によれば、様々なマークアップ言語を使用することができるので、汎用性の高いシステムを構築することが可能となる。
さらに、様々なタグを使って、表示方式を設定することができるので、利用者や管理者等にとって最適なシステムを実現化することができる。
【００５７】
以上、本発明のデータ監視システムについて、好ましい実施形態を示して説明したが、本発明にかかるデータ監視システムは、上述した実施形態にのみ限定されるものではなく、本発明の範囲で種々の変更実施が可能であることは言うまでもない。
例えば、上述した実施形態では、Ｗｅｂデータ作成手段におけるブラウザ非表示の記述形式例として、コメントタグによる例を説明したが、<meta name=”copyright” content=”非表示データ”>等のように、表示とは関係ないタグを用いる記述としてもよい。
【００５８】
また、本発明のデータ監視システムの適用対象は、ダムや河川の監視システムに限らず、監視対象は特に限定されない。
例えば、監視装置として機能する本発明のデータ処理装置を天気予報用の気象監視システムとし、本発明のＷｅｂサーバとして、気象システムと連動した天気予報のＷｅｂページを公開するＷｅｂサーバとし、非表示情報として「アメダスＸＸ異常」等の異常情報をコメント化（暗号化）して取り扱うことができる。
また、監視装置として機能する本発明のデータ処理装置をＷｅｂサイトを検索する検索システムとし、本発明のＷｅｂサーバとして、検索結果を表示するＧｏｏｇｌｅ（登録商標）等の検索用Ｗｅｂページを公開するＷｅｂサーバとし、非表示情報として「ＸＸ検索サーバＨＤＤ残容量わずか」等の検索システム自身の警告をコメント化（暗号化）して取り扱うこともできる。
【産業上の利用可能性】
【００５９】
本発明は、ダムや河川等の監視対象物を遠隔監視する遠隔監視システムに好適に利用することができる。
【図面の簡単な説明】
【００６０】
【図１】本発明の一実施形態に係るデータ監視システムの主な構成を示すブロック図である。
【図２】本発明の一実施形態に係るデータ監視システムにおけるＷｅｂデータ作成例を示したＨＴＭＬ記述文書である。
【図３】本発明の一実施形態に係るデータ監視システムの一例である河川遠隔監視システムの構成を示したブロック図である。
【図４】本発明の一実施形態に係るデータ監視システムの一例である河川遠隔監視システムにおけるＷｅｂデータ作成例を示したＨＴＭＬ記述文書である。
【図５】本発明の一実施形態に係るデータ監視システムの一例である河川遠隔監視システムの動作手順を示したフローチャートである。
【符号の説明】
【００６１】
１  データ監視システム
１０  データ処理装置
１０ａ  河川遠隔監視システム
１１  データ取得手段
１２  データ送信手段
２０  Ｗｅｂサーバ
２１  データ受信手段
２２  Ｗｅｂデータ作成手段
２３  Ｗｅｂデータ送信手段
２４  暗号化手段
３０  ブラウザ端末
３１  Ｗｅｂデータ受信手段
３２  Ｗｅｂページ表示手段
３３  テキスト表示手段
３４  復号化手段
４０  通信回線（ＬＡＮ等）
５０  通信回線（インターネット等）
【図１】
2007148847.tif 000003
【図２】
2007148847.tif 000004
【図３】
2007148847.tif 000005
【図４】
2007148847.tif 000006
【図５】
2007148847.tif 000007